(57)【要約】      （修正有）【課題】  穴開け工具における集塵ファンの交換あるいは保守点検を行う際の作業性の向上に資する技術を提供する。【解決手段】  本発明の穴開け工具１０１は、モータ１１１を収容した第１のハウジング１０５と、モータによって駆動される作動機構１１４を収容した第２のハウジング１０７と、第２のハウジングの先端領域に配置されるとともに作動機構によって少なくとも回転駆動されることで穴開け作業を遂行する工具ビットと、を有する。第１および第２のハウジングは、集塵ファン収容部２１３を介して互いに接合されている。集塵ファン収容部は、モータによって回転駆動される集塵ファン２１１を収容するとともにモータの軸方向において互いに対向する第１および第２のファン収容部構成部材２１３ａ，２１３ｂから構成され、当該第１および第２のファン収容部構成部材は、互いに着脱自在に接合されるとともに当該接合の解除時には集塵ファンが露出される。【選択図】  図２
2006102854.tif 000002
【特許請求の範囲】
【請求項１】
モータを収容した第１のハウジングと、
前記モータによって駆動される作動機構を収容した第２のハウジングと、
前記第２のハウジングの先端領域に配置されるとともに前記作動機構によって少なくとも回転駆動されることで穴開け作業を遂行する工具ビットと、を有し、
前記第１および第２のハウジングは、集塵ファン収容部を介して互いに接合されている穴開け工具であって、
前記集塵ファン収容部は、前記モータによって回転駆動される集塵ファンを収容するとともに前記モータの軸方向において互いに対向する第１および第２のファン収容部構成部材から構成されており、当該第１および第２のファン収容部構成部材は、互いに着脱自在に接合されるとともに当該接合の解除時には前記集塵ファンが露出されることを特徴とする穴開け工具。
【請求項２】
請求項１に記載の穴開け工具であって、
前記第１のファン収容部構成部材は、前記モータの出力軸を回転自在に支持した軸受を収納する軸受収納部を有するとともに、前記第２のファン収容部構成部材との接合とは別の手段によって前記第１のハウジングに接合されていることを特徴とする穴開け工具。
【発明の詳細な説明】
【技術分野】
【０００１】
本発明は、例えばコンクリート壁等に穴開け作業を遂行する際に発生する粉塵を集塵することが可能な集塵装置付き穴開け工具に関する。
【背景技術】
【０００２】
従来の集塵装置付き穴開け工具として、例えば実公平６−４４６１３号公報（特許文献１）に集塵ハンマドリルが開示されている。特許文献１に開示された集塵ハンマドリルでは、集塵ユニットが、駆動モータを収容したモータハウジングと、当該駆動モータの回転出力をドリルビットに打撃動作および回転動作として伝達する作動機構を収容したギアハウジングとの間に介在されている。集塵ユニットは、集塵ファンと当該集塵ファンを収容したファンケーシングとを主体にして構成されている。
【０００３】
集塵装置付き穴開け工具の場合、必要に応じてあるいは定期的に集塵ユニットのファンケーシングを取り外して集塵ファンの交換あるいは保守点検を行うが、特許文献１に開示された集塵ハンマドリルにおいては、集塵ファンの交換作業あるいは保守点検作業について特別の考慮がなされておらず、この点でなお改良の余地がある。
【特許文献１】実公平６−４４６１３号公報
【発明の開示】
【発明が解決しようとする課題】
【０００４】
本発明は、かかる点に鑑みてなされたものであり、穴開け工具における集塵ファンの交換あるいは保守点検を行う際の作業性の向上に資する技術を提供することを目的とする。
【課題を解決するための手段】
【０００５】
上記課題を達成するため、各請求項に記載の発明が構成される。
請求項１に記載の発明に係る穴開け工具は、モータを収容した第１のハウジングと、モータによって駆動される作動機構を収容した第２のハウジングと、当該第２のハウジングの先端領域に配置されるとともに作動機構によって少なくとも回転駆動されることで穴開け作業を遂行する工具ビットとを有する。そして第１および第２のハウジングは、集塵ファン収容部を介して互いに接合された構成とされる。本発明における「少なくとも回転駆動」とは、工具ビットを回転駆動することで穴開け作業を遂行する態様のほか、工具ビットを回転駆動することに加えて長軸方向に直線運動させることで、回転動作と打撃動作とによる穴開け作業を遂行する態様を包含する。
【０００６】
本発明における穴開け工具によれば、集塵ファン収容部は、モータによって回転駆動される集塵ファンを収容するとともにモータの軸方向において互いに対向状に配置された第１および第２のファン収容部構成部材から構成される。そして当該第１および第２のファン収容部構成部材は、互いに着脱自在に接合されるとともに当該接合の解除時には集塵ファンが露出される構成とされる。本発明における「接合」の態様としては、典型的には、ネジによる固定、例えばネジ孔にネジを締めこむ方式あるいはボルトとナットによる固定がこれに該当する。本発明によれば、第１および第２のファン収容部構成部材を着脱自在に接合するとともに当該接合の解除時には集塵ファンが露出される構成としている。すなわち、第１および第２のファン収容部構成部材の接合を外したとき、第１のファン収容部構成部材と第２のファン収容部構成部材が互いに分離され、これによって集塵ファンが露出する。このように本発明によれば、第１のファン収容部構成部材と第２のファン収容部構成部材を分離するだけで、集塵ファンの交換および保守点検作業が可能となり、当該作業を容易に行うことができ、作業性の向上を図る上で有効とされる。
【０００７】
（請求項２に記載の発明）
請求項２に記載の発明によれば、請求項１に記載の穴開け工具における第１のファン収容部構成部材は、モータの出力軸を回転自在に支持した軸受を収納する軸受収納部を有するとともに、第２のファン収容部構成部材との接合とは別の手段によって第１のハウジングに接合された構成とされる。なお「別の手段によって第１のハウジングに接合」とは、第１のファン収容部構成部材それ自体が単体で第１のハウジングに接合される態様であり、第１および第２のファン収容部構成部材を互いに分離しても、第１のハウジングに対する第１のファン収容部構成部材の接合状態が維持される態様をいう。本発明によれば、モータのアマチュアと集塵ファンとの間で出力軸を軸受によって支持することが可能となり、このことによってモータと集塵ファンとの両部材を安定的に保持することができる。そして軸受を、第１のハウジングに接合される第１のファン収容部構成部材に設けた軸受収納部に収納する構成のため、当該第１のファン収容部構成部材と第１のハウジングにつき互いに正確な位置決めと確実な固定をすることで、両者間の芯ずれを回避することが可能となり、芯ずれによる振動の発生を抑えて耐久性の低下を防止できる。
【発明の効果】
【０００８】
本発明によれば、穴開け工具における集塵ファンの交換あるいは保守点検を行う際の作業性の向上に資する技術が提供されることとなった。
【発明を実施するための最良の形態】
【０００９】
以下、本発明の実施の形態につき、図１〜図４を参照しつつ詳細に説明する。本発明の実施の形態では、集塵装置付き穴開け工具の一例として電動式の集塵ハンマドリルを用いて説明する。図１および図２はそれぞれ本実施の形態に係る集塵ハンマドリルの全体構成を概略的に示す側断面図である。なお図２には集塵ハンマドリルが軸方向において２分割された状態を示している。図１および図２に示すように、本実施の形態に係る集塵ハンマドリル１０１は、概括的に見て、ハンマドリル１０１の外郭を形成する本体部１０３、当該本体部１０３の先端領域にツールホルダ１３７を介して着脱自在に取付けられたドリルビット１１９、本体部１０３の後端側（ドリルビット１１９の反対側）に連接されたハンドグリップ１０９を主体として構成されており、本体部１０３の軸方向の概ね中央部に集塵装置２０１が組み付けられる。ドリルビット１１９は、ツールホルダ１３７に対し軸方向には相対移動可能とされ、周方向には一体回転するように装着される。このドリルビット１１９は、本発明における「工具ビット」に対応する。なお説明の便宜上、ドリルビット１１９側を前、ハンドグリップ１０９側を後という。
【００１０】
本体部１０３は、駆動モータ１１１を収容したモータハウジング１０５と、運動変換機構１１３、動力伝達機構１１４および打撃要素１１５を収容したギアハウジング１０７とによって構成され、モータハウジング１０５とギアハウジング１０７は、相互間に集塵装置２０１の集塵ユニット２０３を介在した状態で接合される。上記のモータハウジング１０５は、本発明における「第１のハウジング」に対応し、ギアハウジング１０７は、本発明における「第２のハウジング」に対応する。
【００１１】
駆動モータ１１１の回転出力は、運動変換機構１１３によって直線運動に適宜変換された上で打撃要素１１５に伝達され、当該打撃要素１１５を介してドリルビット１１９の軸方向（図４における左右方向）への衝撃力を発生する。また駆動モータ１１１の回転出力は、動力伝達機構１１４によって適宜減速された上でドリルビット１１９に回転力として伝達され、当該ドリルビット１１９が周方向に回転動作される。上記の動力伝達機構１１４は、本発明における「作動機構」に対応する。なお駆動モータ１１１は、ハンドグリップ１０９に配置されたトリガ１１７の引き操作によって通電駆動される。
【００１２】
図３には、運動変換機構１１３の構成が詳細に示されている。運動変換機構１１３は、駆動モータ１１１により鉛直面内にて回転駆動される駆動ギア１２１、当該駆動ギア１２１に噛み合い係合する被動ギア１２３、当該被動ギア１２３と被動軸１２５を介して一体回転する回転体１２７、回転体１２７の回転によってドリルビット１１９の軸方向に揺動される揺動リング１２９、揺動リング１２９の揺動によって直線状に往復移動するシリンダ１４１を主体として構成される。被動軸１２５はドリルビット１１９の軸方向に平行（水平）に配置され、当該被動軸１２５に取り付けられた回転体１２７の外周面が被動軸１２５の軸線に対し所定の傾斜角度で傾斜状に形成されている。揺動リング１２９は、回転体１２７の傾斜外周面にボールベアリング１２６を介して相対回転可能に取り付けられ、当該回転体１２７の回転動作に伴ってドリルビット１１９の軸方向に揺動される。また揺動リング１２９は、上方（放射方向）に一体に突設された揺動ロッド１２８を有し、当該揺動ロッド１２８がシリンダ１４１の後端部に設けた係合部材１２４に遊嵌状に係合されている。上記の回転体１２７、揺動リング１２９、シリンダ１４１によって揺動機構が構成されている。
【００１３】
動力伝達機構１１４は、図１および図２に示すように、駆動モータ１１１から駆動ギア１２１および被動軸１２５を介して鉛直面内にて回転駆動される第１伝達ギア１３１、当該第１伝達ギア１３１に噛み合い係合する第２伝達ギア１３３、当該第２伝達ギア１３３とともに回転されるスリーブ１３５、当該スリーブ１３５とともに鉛直面内にて回転されるツールホルダ１３７を主体として構成される。
【００１４】
打撃要素１１５は、図１および図２に示すように、シリンダ１４１のボア内壁に摺動自在に配置されたストライカ１４３と、ツールホルダ１３７に摺動自在に配置されるとともに、ストライカ１４３の運動エネルギをドリルビット１１９に伝達するインパクトボルト１４５を主体として構成される。
【００１５】
上記のように構成されるハンマドリル１０１の作用について説明する。駆動モータ１１１が通電駆動されると、その回転出力により、駆動ギア１２１が鉛直面内にて回動動作する。すると、駆動ギア１２１に噛み合い係合される被動ギア１２３、被動軸１２５を介して回転体１２７が鉛直面内にて回転動作され、これによって揺動リング１２９および揺動ロッド１２８がドリルビット１１９の軸方向に揺動する。揺動ロッド１２８の揺動によってシリンダ１４１が直線状に摺動動作され、それに伴うシリンダ１４１内の空気バネの作用により、ストライカ１４３はシリンダ１４１内を直線運動する。ストライカ１４３は、インパクトボルト１４５に衝突することで、その運動エネルギをドリルビット１１９に伝達する。
【００１６】
一方、被動軸１２５とともに第１伝達ギア１３１が回転されると、第１伝達ギア１３１に噛み合い係合される第２伝達ギア１３３を介してスリーブ１３５が鉛直面内にて回転され、更にスリーブ１３５とともにツールホルダ１３７およびこのツールホルダ１３７にて保持されるドリルビット１１９が一体状に回転される。かくして、ドリルビット１１９が軸方向のハンマ動作と周方向のドリル動作を行い、被加工材（コンクリート）に穴開け作業を遂行する。
【００１７】
次にハンマドリル１０１の穴開け作業時に発生する粉塵を集塵するべく備えられた集塵装置２０１につき図１〜図４を参照して説明する。図１には集塵装置２０１の全体構成が示されている。集塵装置２０１は、集塵ユニット２０３、吸引アッセンブリ２０５およびダストバック２０７を主体にして構成されている。集塵ユニット２０３は、駆動モータ１１１によって回転駆動される集塵ファン２１１と、当該集塵ファン２１１を収容する集塵ファンケーシング２１３から構成される。集塵ファンケーシング２１３は、本発明における「集塵ファン収容部」に対応する。吸引アッセンブリ２０５は、吸込み口２４１を備えた集塵カバー２４３、集塵カバー２４３に接続された集塵パイプ２４５、集塵パイプ２４５に連接された集塵ホース２４７等からなり、ドリルビット１１９による穴開け時に発生する粉塵を吸込み口２４１から吸込んで集塵ファンケーシング２１３に取付けられたダストバック２０７に集塵する構成とされる。
なお吸引アッセンブリ２０５の具体的な構成については、従来公知の技術ゆえ詳細な説明は省略する。また図示の便宜上、集塵ホース２４７が集塵ファンケーシング２１３から離れた状態で示されているが、実際には接続されている。また吸引アッセンブリ２０５自体もホルダを介して本体部１０３によって支持され、あるいは本体部１０３に取り付けられたサイドハンドルによって支持される。
【００１８】
図３および図４に集塵ユニット２０３の詳細な構成が示される。集塵ユニット２０３における集塵ファン２１１は、ファンシャフト２１７に対して着脱可能にかつ当該ファンシャフト２１７と一体回転するように取付けられている。ファンシャフト２１７は、軸方向の一端（後端）がモータ１１１の出力軸（アマチュアシャフト）１１２と分離可能に接続され、他端側が軸受２１９によって回転自在に支持されている。ファンシャフト２１７の後端部には軸方向に所定深さの角孔２１７ａが形成され、この角孔２１７ａに出力軸１１２の先端に設けた角軸部１１２ａが差し込まれることによって、ファンシャフト２１７が出力軸１１２と一体回転可能にかつ分離可能に接続されている。ファンシャフト２１７を支持する軸受２１９は、ギアハウジング１０７に固定されたインナハウジング１０７ａに設けた軸受収納部２１８に収納保持されており、この軸受２１９の内輪にファンシャフト２１７が後側から引き抜き可能に差し込まれている。なおファンシャフト２１７の先端（前端）に、前述した駆動ギア１２１が一体に設けられている。
【００１９】
集塵ユニット２０３の集塵ファンケーシング２１３は、駆動モータ１１１の軸線と平行な複数のネジ２３３によって外周縁部を互いに分離可能に接合された第１ファンケーシング２１３ａおよび第２ファンケーシング２１３ｂからなり、これら両ファンハウジング２１３ａ，２１３ｂと、ファンシャフト２１７に取付けられたリング２１４とにより集塵室２１５が形成されている。第１ファンケーシング２１３ａの周縁部は、集塵ファン２１１の外周部を取り囲むように第２ファンケーシング２１３ｂに向かって駆動モータ１１１の軸方向に延出されており、当該延出端面が第２ファンケーシング２１３ｂの周縁部の軸方向端面に対しインロー式の嵌め合い部２２１を介して突合せ状に嵌合されるとともに、その状態で外周縁部の複数箇所が当該第２ファンケーシング２１３ｂの外側から第１ファンケーシング２１３ａのネジ孔２３３ａにねじ込まれるネジ２３３によって接合されている。このように第１ファンケーシング２１３ａは、周縁部に軸方向に延出するフランジを有する構成であって、当該フランジ部側にネジ孔２３３ａを設ける構成としたときは、当該ネジ孔２３３ａの有効長を長くでき、接合強度を高める上で有効となる。第１ファンケーシング２１３ａは、本発明における「第１のファン収容部構成部材」に対応し、第２ファンケーシング２１３ｂは、本発明における「第２のファン収容部構成部材」に対応する。なお第２ファンケーシング２１３ｂは、第１ファンケーシング２１３ａとの対向面側の周縁部にフランジ部を有しない構成である。
【００２０】
第１ファンケーシング２１３ａは、径方向における中央領域に軸受収納部２２３を有し、この軸受収納部２２３に収納保持された軸受２２５によってモータ１１１の出力軸１１２の先端（前端）およびファンシャフト２１７の後端がそれぞれ回転自在に支持される構成としている。すなわち、軸受２２５の内輪における軸方向の後側領域には出力軸１１２の先端部がリング１１２ｂを介して嵌め込まれ、前側領域にはファンシャフト２１７の後端部が引き抜き可能に嵌め込まれている。なおモータ１１１の出力軸１１２の後端部は、図１に示すように、モータハウジング１０５の後端部に設けた軸受２２７によって回転自在に支持されている。かくして、駆動モータ１１１の出力軸１１２は、軸方向の両端を支持されて安定した状態で回転される。なお出力軸１１２上には、駆動モータ１１１を冷却する冷却ファン１４７が設けられている。
【００２１】
第１ファンケーシング２１３ａは、モータハウジング１０５の前側の軸方向端面に対し図示省略のインロー式の嵌め合い部を介して突合せ状に嵌合され、その状態で周縁部の複数箇所が第１ファンケーシング２１３ａの内面側（集塵室側）からモータハウジング１０５のネジ孔２３５ａにねじ込まれる駆動モータ１１１の軸線と平行なネジ２３５によって接合されている。なお第１ファンケーシング２３１ａの外周部には、粉塵の排出口２２９ａを有するダストバッグ２０７のバッグ取付部２２９が設けられている。
【００２２】
第２ファンケーシング２１３ｂは、ギアハウジング１０７の後側の軸方向端面に対しインロー式の嵌め合い部２３１を介して突合せ状に嵌合され、その状態で周縁部の複数箇所がギアハウジング１０７の内側から第２ファンケーシング２１３ｂのネジ孔２３７ａにねじ込まれる駆動モータ１１１の軸線と平行なネジ２３７によって接合されている。
【００２３】
第２ファンケーシング２１３ｂの内面には、当該第２ファンケーシング２１３ｂを形成する際に、製作上の都合でケーシング内面に形成された凹部によりエアポケットが生ずるのを防止するべくダストカバープレート２３９が設けられている。これにより第２ファンケーシング２１３ｂ内の凹部が塞がれて平坦化されるため、集塵室２１５内における乱流が抑えられ、集塵効率を向上できるとともに、騒音の発生を防止できる。このダストカバープレート２３９は、ネジ２３９ａによって第２ファンケーシング２３１ｂに固定されている。また、図示はしないが第２ファンケーシング２３１ｂの径方向における中心部寄りに前記集塵ホース２４７が接続される粉塵吸入口が設けられている。
【００２４】
また集塵ファンケーシング２１３には、ダストバッグ２０７に帯電した静電気を導電性材料からなる、例えばアルミ製のインナハウジング１０７ａに逃すためのアース線２５１が設けられている。アース線２５１は、第１ファンケーシング２１３ａに設けられた第１アース線２５１ａと、第２ファンケーシング２１３ｂに設けられた第２アース線２５１ｂからなる。第１アース線２５１ａは、第１ファンケーシング２１３ａのバッグ取付部２２９の外面であって、第２ファンケーシング２１３ｂの周縁端面と対向する部位に配線されており、ダストバッグ２０７がバッグ取付部２２９に取付けられたとき、一端が当該ダストバッグ２０７の嵌め込み口に設けられた導電部材としての、例えば導電樹脂製の導電リング２５３に接触可能とされる。一方、第２アース線２５１ｂは、第２ファンケーシング２１３ｂとギアハウジング１０７が接合されたとき、一端がインナハウジング１０７ａに接触し、第１ファンケーシング２１３ａと第２ファンケーシング２１３ｂが接合されたとき、他端が第１アース線２５１ａの他端と接触するように配線されている。
【００２５】
すなわち、アース線２５１は、第１ファンケーシング２１３ａと第２ファンケーシング２１３ｂに分けて配線され、両ファンケーシング２１３ａ，２１３ｂが互いに接合されたときに、相互に接触することによってダストバッグ２０７とインナハウジング１０７ａとを電気的に接続する構成とされている。これにより、ダストバッグ２０７に帯電した静電気をインナハウジング１０７ａに逃すことができる。
【００２６】
本実施の形態に係る集塵装置２０１は、上記のように構成したものであり、ハンマドリル１０１による穴開け作業時には、駆動モータ１１１によって集塵ファン２１１が回転駆動されることで、ドリルビット１１９による穴開け作業時に発生する粉塵を吸込み口２４１から吸込み、集塵パイプ２４５、集塵ホース２４７、集塵室２１５を経てダストバッグ２０７に集塵することができる。
【００２７】
本実施の形態では、集塵ユニット２０３における集塵ファンケーシング２１３を、第１ファンケーシング２１３ａと第２ファンケーシング２１３ｂから形成している。そして第１ファンケーシング２１３ａをモータハウジング１０５にネジ２３５によって接合する一方、第２ファンケーシング２１３ｂをギアハウジング１０７にネジ２３７によって接合する構成とし、更に両ファンケーシング２１３ａ，２１３ｂをネジ２３３によって互いに着脱自在に接合する構成としている。このため、ネジ２３３を取り外して第１ファンケーシング２１３ａと第２ファンケーシング２１３ｂを分離することにより、図４に示すように、ハンマドリル１０１を軸方向に２分割することができるとともに、集塵ファン２１１を露出することができる。このため、集塵ファン２１１の交換あるいは保守点検、あるいは集塵室２１５内の掃除を容易に行うことができ、作業性が向上する。
【００２８】
この場合、本実施の形態では、ファンシャフト２１７は、駆動モータ１１１の出力軸１１２から分離可能とされるとともに、モータ側およびギア側の各軸受２２５，２１９からそれぞれ引き抜き可能とされている。このため、ファンシャフト２１７を集塵ファンケーシング２１３から取り外した状態で、当該ファンシャフト２１７に対する集塵ファン２１１の着脱作業を行うことが可能となり、当該着脱作業の作業性がより向上できる。
【００２９】
本実施の形態では、第１ファンケーシング２１３ａに軸受収納部２２３を設け、当該軸受収納部２２３に収納保持された軸受２２５によって出力軸１１２を支持する構成としている。これによって駆動モータ１１１と集塵ファン２１１との間に軸受２２５が配置されることになり、両者を安定に保持することが可能となる。そして軸受収納部２２３を有する第１ファンケーシング２１３ａを、第２ファンケーシング２１３ｂから独立した形態でモータハウジング１０５に対し単体で接合する構成としている。このため、例えばモータハウジング１０５とギアハウジング１０７との間に第１および第２ファンケーシング２１３ａ，２１３ｂを挟み込んで共通の通しボルト（ネジ）によって接合する構成に比べると、モータハウジング１０５に対して第１ファンケーシング２１３ａを接合する際、両者を正確に位置決めし、かつ確実に固定することが可能となる。その結果、軸受２２５と出力軸１２２間の芯ずれを回避し、芯ずれに起因する振動の発生を抑えて耐久性を高めることができる。
【００３０】
また本実施の形態では、ダストバッグ２０７と本体部１０３側の導電部材とを接続するアース線２５１を第１ファンケーシング２１３ａ側と第２ファンケーシング２１３ｂ側とに分割可能としている。これにより、第１ファンケーシング２１３ａと第２ファンケーシング２１３ｂとを分離する際の、当該両ケーシング２１３ａ，２１３ｂの分離作業を支障しない。
【００３１】
なお上述した実施の形態は、自己集塵機能を有しない仕様への変更が容易に実現可能である。すなわち、本実施の形態では、モータハウジング１０５とギアハウジング１０７との間に配置される集塵ユニット２０３は、ネジ２３５，２３７を取り外して当該モータハウジング１０５とギアハウジング１０７から第１および第２ファンケーシング２１３ａ，２１３ｂを分離後、ファンシャフト２１７を出力軸１１２から取り外すことができる構成である。したがって、上記のようにして集塵ユニット２０３を取り外した後、出力軸１１２を現状の角軸部１１２ａ付きのものから駆動ギア１２１が形成されたものに取り替えるとともに、モータハウジング１０５とギアハウジング１０７とを直接に接合することによって、自己集塵機能を持たない仕様への変更が可能とされる。なお両ハウジング１０５，１０７の接合は、外周縁部に接合用部位を予め設定しておくことで対応できる。
【００３２】
なお上述した実施の形態では、ハンマドリル１０１を例にとって説明しているが、ハンマドリル１０１に限らず、穴開け工具であれば適用可能である。また本実施の形態では、出力軸１１２とファンシャフト２１７が分離可能とされた構成の場合で説明したが、出力軸１１２とファンシャフト２１７が一体であっても差し支えない。
【００３３】
上記発明の趣旨に鑑み、以下の態様を構成することが可能とされる。
（態様１）
「請求項１または２に記載の穴開け工具であって、
前記第１のファン収容部構成部材が前記第１のハウジングに接合され、前記第２のファン収容部構成部材が前記第２のハウジングに接合されており、当該第１および第２のファン収容部構成部材の相互の接合を解除したとき、穴開け工具が前記第１のハウジング側と前記第２のハウジング側とに２分割されることを特徴とする穴開け工具。」
態様１に記載の発明によれば、第１のファン収容部構成部材と第２のファン収容部構成部材との接合を解除するだけで、穴開け工具を第１のハウジング側と第２のハウジング側とに２分割できるため、集塵ファンの交換、あるいは保守点検作業の作業性がより向上されることとなる。
【００３４】
（態様２）
「請求項１または２あるいは態様１に記載の穴開け工具であって、
前記集塵ファンを支持するファンシャフトは、一端が前記モータの出力軸に分離可能に接続されるともに他端が前記第２のファン収容部構成部材側に配置された軸受に引き抜き可能に挿入されており、前記第１のファン収容部構成部材と第２のファン収容部構成部材との接合が解除された状態では、当該第１および第２のファン収容部構成部材からの分離が許容される構成としたことを特徴とする穴開け工具。」
態様２に記載の発明によれば、第１のファン収容部構成部材と第２のファン収容部構成部材との接合を解除後、ファンシャフトを第１および第２のファン収容部構成部材からそれぞれ取り外した状態で当該ファンシャフトに対する集塵ファンの着脱作業を行うことが可能となり、作業し易くなる。
【００３５】
（態様３）
「請求項１、２、態様１、２のいずれか１つに記載の穴開け工具であって、
前記第１および第２のファン収容部構成部材のいずれか一方は、周縁部が軸方向に延出されており、当該延出部によって集塵ファンの外周縁を覆う構成としたことを特徴とする穴開け工具。」
態様３に記載の発明によれば、第１および第２のファン収容部構成部材のいずれか一方の周縁部が軸方向に延出されることで、当該周縁部の軸方向長さを大きくできるため、例えばネジを用いて第１および第２のファン収容部構成部材を相互に接合する構造において、延出部が設定された側のファン収容部構成部材にネジ孔を設定することによって、当該ネジ孔の有効長を長くでき、接合強度を向上できる。
なお第１および第２のファン収容部構成部材のいずれか一方は、周縁部に軸方向に延出する延出部（フランジ部）を有する構成とし、他方は周縁部に延出部を有しない構成としてもよく、その場合、延出部を有しないファン収容部構成部材は、第２のハウジングに接合されるファン収容部構成部材であることが好ましい。
【図面の簡単な説明】
【００３６】
【図１】本発明の実施形態に係る集塵ハンマドリルの全体構成を示す側断面図である。
【図２】集塵ハンマドリルの全体構成を示す断面図であり、集塵ユニットの分解状態を示す。
【図３】集塵ユニットを示す断面図である。
【図４】集塵ユニットを示す断面図であり、分解状態を示す。
【符号の説明】
【００３７】
１０１  ハンマドリル（穴開け工具）
１０３  本体部
１０５  モータハウジング（第１のハウジング）
１０７  ギアハウジング（第２のハウジング）
１０７ａ  インナハウジング
１０９  ハンドグリップ
１１１  駆動モータ
１１２  出力軸
１１２ａ  角軸部
１１２ｂ  リング
１１３  運動変換機構
１１４  動力伝達機構（作動機構）
１１５  打撃要素
１１７  トリガ
１１９  ドリルビット（工具ビット）
１２１  駆動ギア
１２３  被動ギア
１２４  係合部材
１２５  被動軸
１２６  ボールベアリング
１２７  回転体
１２８  揺動ロッド
１２９  揺動リング
１３１  第１伝達ギア
１３３  第２伝達ギア
１３５  スリーブ
１３７  ツールホルダ
１４１  シリンダ
１４３  ストライカ（打撃子）
１４５  インパクトボルト
２０１  集塵装置
２０３  集塵ユニット
２０５  吸引アッセンブリ
２０７  ダストバック
２１１  集塵ファン
２１３  集塵ファンケーシング
２１３ａ  第１ファンケーシング（第１のファン収容部構成部材）
２１３ｂ  第２ファンケーシング（第２のファン収容部構成部材）
２１４  リング
２１５  集塵室
２１７  ファンシャフト
２１７ａ  角孔
２１８  軸受収納部
２１９  軸受
２２１  嵌め合い部
２２３  軸受収納部
２２５  軸受
２２７  軸受
２２９  バッグ取付部
２２９ａ  排出口
２３１  嵌め合い部
２３３  ネジ
２３３ａ  ネジ孔
２３５  ネジ
２３５ａ  ネジ孔
２３７  ネジ
２３７ａ  ネジ孔
２３９  ダストカバープレート
２４１  吸込み口
２４３  集塵カバー
２４５  集塵パイプ
２４７  集塵ホース
２５１  アース線
２５１ａ  第１アース線
２５１ｂ  第２アース線
２５３  導電リング
【図１】
2006102854.tif 000003
【図２】
2006102854.tif 000004
【図３】
2006102854.tif 000005
【図４】
2006102854.tif 000006